(57)【要約】【課題】ユーザ情報の登録を容易化できるユーザ情報登録方法及びオンライン試験装置を提供することを目的とする。【解決手段】ネットワーク経由でユーザに試験を受けさせるオンライン試験装置におけるユーザ情報登録方法であって、ディレクトリデータベースにアクセスする為のプロトコルを用いて、ユーザ情報登録機能部がディレクトリデータベースからユーザ情報の検索結果を受信するステップと、ユーザ情報の検索結果をユーザ情報登録機能部が表示するステップと、検索結果から選択されたユーザ情報の詳細情報を、ユーザ情報登録機能部がディレクトリデータベースから受信するステップと、ユーザ情報の詳細情報をユーザ情報登録機能部が表示するステップと、ユーザからの要求に基づき、ユーザ情報の詳細情報をユーザ情報登録機能部がオンライン試験データベースに登録するステップとを有することにより上記課題を解決する。【選択図】図４
2008165266.tif 000002
【特許請求の範囲】
【請求項１】
ネットワーク経由でユーザに試験を受けさせるオンライン試験装置におけるユーザ情報登録方法であって、
ネットワーク上のユーザ情報を記憶し、前記ユーザ情報の検索機能を提供するディレクトリデータベースにアクセスする為のプロトコルを用いて、ユーザ情報登録機能部が前記ディレクトリデータベースから前記ユーザ情報の検索結果を受信するステップと、
前記ユーザ情報の検索結果を前記ユーザ情報登録機能部が表示するステップと、
前記プロトコルを用いて、前記検索結果からユーザによって選択された前記ユーザ情報の詳細情報を、前記ユーザ情報登録機能部が前記ディレクトリデータベースから受信するステップと、
前記ユーザ情報の詳細情報を前記ユーザ情報登録機能部が表示するステップと、
ユーザからの要求に基づき、前記ユーザ情報の詳細情報を前記ユーザ情報登録機能部がオンライン試験データベースに登録するステップと
を有することを特徴とするユーザ情報登録方法。
【請求項２】
前記ユーザ情報の検索結果を前記ユーザ情報登録機能部が表示するステップは、前記検索結果の一覧を表示し、前記検索結果の一覧からユーザに前記ユーザ情報を選択させることを特徴とする請求項１記載のユーザ情報登録方法。
【請求項３】
前記ユーザ情報の詳細情報を前記ユーザ情報登録機能部が表示するステップは、前記詳細情報を表示し、前記詳細情報の登録の有無をユーザに選択させることを特徴とする請求項１又は２記載のユーザ情報登録方法。
【請求項４】
ネットワーク経由でユーザに試験を受けさせるオンライン試験装置であって、
ネットワーク上のユーザ情報を記憶し、前記ユーザ情報の検索機能を提供するディレクトリデータベースにアクセスする為のプロトコルを用いて前記ディレクトリデータベースから前記ユーザ情報の検索結果を受信する検索結果受信手段と、
前記ユーザ情報の検索結果を表示する検索結果表示手段と、
前記プロトコルを用いて、前記検索結果からユーザによって選択された前記ユーザ情報の詳細情報を、前記ディレクトリデータベースから受信する詳細情報受信手段と、
前記ユーザ情報の詳細情報を表示する詳細情報表示手段と、
ユーザからの要求に基づき、前記ユーザ情報の詳細情報をオンライン試験データベースに登録する詳細情報登録手段と
を有することを特徴とするオンライン試験装置。
【請求項５】
前記検索結果表示手段は前記検索結果の一覧を表示し、前記検索結果の一覧からユーザに前記ユーザ情報を選択させることを特徴とする請求項４記載のオンライン試験装置。
【請求項６】
前記詳細情報表示手段は前記詳細情報を表示し、前記詳細情報の登録の有無をユーザに選択させることを特徴とする請求項４又は５記載のオンライン試験装置。
【発明の詳細な説明】
【技術分野】
【０００１】
本発明は、ユーザ情報登録方法及びオンライン試験装置に係り、特にネットワーク経由でユーザに試験を受けさせるオンライン試験装置及びそのオンライン試験装置で利用されるユーザ情報登録方法に関する。
【背景技術】
【０００２】
近年、インターネット等のネットワーク技術の普及により、ネットワーク経由でユーザに試験を受けさせるオンライン試験システムが普及しつつある。例えばオンライン試験システムは、オンライン試験装置及びユーザ端末が、インターネット等のネットワーク経由で接続された構成である。
【０００３】
ユーザはユーザ端末をネットワーク経由でオンライン試験装置に接続し、オンライン試験装置から提供される試験を受けることができる。例えば特許文献１にはネットワーク経由でユーザに試験を受けさせる試験運用システムが記載されている。
【０００４】
このようなオンライン試験システムには、社内等の限られたユーザが試験を受けられるもの、誰でも試験を受けられるものなど、様々な種類があった。
【特許文献１】特開２００４−２２０６０３号公報
【発明の開示】
【発明が解決しようとする課題】
【０００５】
例えば社内等の限られたユーザが試験を受けられるオンライン試験システムでは試験を受けられるユーザを識別する為、予め試験を受け得るユーザのユーザ情報を登録しておく必要があった。通常、ユーザ情報の登録は、オンライン試験を管理する事務局等の担当者が行う。しかしながら、試験を受け得るユーザの数が増加すると、ユーザ情報の登録は非常に煩雑となってしまい、問題であった。
【０００６】
本発明は、上記の点に鑑みなされたもので、ユーザ情報の登録を容易化できるユーザ情報登録方法及びオンライン試験装置を提供することを目的とする。
【課題を解決するための手段】
【０００７】
上記課題を解決するため、本発明は、ネットワーク経由でユーザに試験を受けさせるオンライン試験装置におけるユーザ情報登録方法であって、ネットワーク上のユーザ情報を記憶し、前記ユーザ情報の検索機能を提供するディレクトリデータベースにアクセスする為のプロトコルを用いて、ユーザ情報登録機能部が前記ディレクトリデータベースから前記ユーザ情報の検索結果を受信するステップと、前記ユーザ情報の検索結果を前記ユーザ情報登録機能部が表示するステップと、前記プロトコルを用いて、前記検索結果からユーザによって選択された前記ユーザ情報の詳細情報を、前記ユーザ情報登録機能部が前記ディレクトリデータベースから受信するステップと、前記ユーザ情報の詳細情報を前記ユーザ情報登録機能部が表示するステップと、ユーザからの要求に基づき、前記ユーザ情報の詳細情報を前記ユーザ情報登録機能部がオンライン試験データベースに登録するステップとを有することを特徴とする。
【０００８】
前記ユーザ情報の検索結果を前記ユーザ情報登録機能部が表示するステップは、前記検索結果の一覧を表示し、前記検索結果の一覧からユーザに前記ユーザ情報を選択させることを特徴としてもよい。
【０００９】
前記ユーザ情報の詳細情報を前記ユーザ情報登録機能部が表示するステップは、前記詳細情報を表示し、前記詳細情報の登録の有無をユーザに選択させることを特徴としてもよい。
【００１０】
なお、本発明の構成要素、表現または構成要素の任意の組合せを、方法、装置、システム、コンピュータプログラム、記録媒体、データ構造などに適用したものも本発明の態様として有効である。
【発明の効果】
【００１１】
本発明によれば、ユーザ情報の登録を容易化できるユーザ情報登録方法及びオンライン試験装置を提供可能である。
【発明を実施するための最良の形態】
【００１２】
次に、本発明を実施するための最良の形態を、以下の実施例に基づき図面を参照しつつ説明していく。本発明は、オンライン試験システムのうち、予め試験を受け得るユーザのユーザ情報を登録しておくオンライン試験システムに適用される。
【００１３】
図１はオンライン試験システムの一例の構成図である。図１のオンライン試験システムはオンライン試験装置１，ディレクトリＤＢ２，ユーザ端末３，インターネットやＬＡＮ等のネットワーク４を有する構成である。
【００１４】
オンライン試験装置１，ディレクトリＤＢ２，ユーザ端末３はネットワーク４経由で接続されている。図１では便宜上、１台のオンライン試験装置１がネットワーク４経由で２台のユーザ端末５〜６と接続されている例を示している。オンライン試験装置１及びディレクトリＤＢ２は複数台設置してもよい。ユーザ端末３は１台以上であればよい。
【００１５】
ユーザ端末３は試験を受けるユーザによって操作されるものとする。ユーザはユーザ端末３をネットワーク４経由でオンライン試験装置１に接続し、認証を行ったあと、試験を受けることができる。ディレクトリＤＢ２はネットワーク４上のユーザ情報と、その属性とを記憶し、ユーザ情報の検索機能を提供する。ディレクトリＤＢ２へのアクセスにはＬＤＡＰというプロトコルが用いられる。
【００１６】
オンライン試験装置１は、後述するように、オンライン試験に必要な各種処理の実行及び各種情報の記録を行うものである。オンライン試験装置１は、例えば図２に示すようなハードウェア構成により実現される。
【００１７】
図２はオンライン試験装置の一例のハードウェア構成図である。オンライン試験装置１は、それぞれバス１９で相互に接続された入力装置１１，出力装置１２，ドライブ装置１３，補助記憶装置１４，メモリ装置１５，演算処理装置１６およびインターフェース装置１７を有するように構成される。
【００１８】
入力装置１１はキーボードやマウスなどで構成され、各種信号を入力するために用いられる。出力装置１２はディスプレイ装置などで構成され、各種ウインドウやデータ等を表示するために用いられる。インターフェース装置１７は、モデム，ＬＡＮカードなどで構成されており、ネットワーク４に接続する為に用いられる。
【００１９】
ユーザ情報登録プログラムはオンライン試験装置１を制御する各種プログラムの少なくとも一部である。ユーザ情報登録プログラムは例えば記録媒体１８の配布やネットワーク４からのダウンロードなどによって提供される。ユーザ情報登録プログラムを記録した記録媒体１８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２０】
また、ユーザ情報登録プログラムを記録した記録媒体１８がドライブ装置１３にセットされると、ユーザ情報登録プログラムは記録媒体１８からドライブ装置１３を介して補助記憶装置１４にインストールされる。ネットワーク４からダウンロードされたユーザ情報登録プログラムはインターフェース装置１７を介して補助記憶装置１４にインストールされる。
【００２１】
オンライン試験装置１は、インストールされたユーザ情報登録プログラムを格納すると共に、必要なファイル，データ等を格納する。メモリ装置１５は、起動時に補助記憶装置１４からユーザ情報登録プログラムを読み出して格納する。そして、演算処理装置１６はメモリ装置１５に格納されたユーザ情報登録プログラムに従って、後述するような各種処理を実現している。
【００２２】
図３はオンライン試験装置の一例のソフトウェア構成図である。図３のオンライン試験装置１は、オンライン試験機能部２１，オンライン試験ＤＢ２２，ＬＤＡＰ２３を有する構成である。また、オンライン試験機能部２１は、ユーザ情報登録機能部２４，試験申込み機能部２５，受験機能部２６，合否判定機能部２７，受験履歴閲覧機能部２８，その他機能部２９を有する構成である。図３に示したソフトウェアの動作については、順次説明していく。
【００２３】
まず、ユーザ情報登録機能部２４の動作について説明する。ユーザ情報登録機能部２４はユーザ情報の登録に関する処理を行う。ここで登録されるユーザ情報は例えばユーザがユーザ端末３を操作して、ネットワーク４経由でオンライン試験装置１にアクセスする際の認証に利用される。
【００２４】
図４はユーザ情報登録機能部の動作について説明する為のシーケンス図である。例えばオンライン試験を管理する事務局等の担当者は、オンライン試験装置１を操作してユーザ情報の登録開始を指示する。
【００２５】
（１）ユーザ情報の登録開始の指示を受けると、オンライン試験装置１のユーザ情報登録機能部２４はＬＤＡＰ２３を用いてユーザ情報の検索を要求する。（２）ＬＤＡＰ２３はディレクトリＤＢ２が提供するユーザ情報の検索機能を用いて検索を行い、その検索結果をユーザ情報登録機能部２４に返信する。
【００２６】
（３）ユーザ情報登録機能部２４は、ユーザ情報の検索結果を例えばディスプレイ等に一覧表示する。（４）例えばオンライン試験を管理する事務局等の担当者は、オンライン試験装置１を操作して検索結果から１ユーザのユーザ情報を選択する。１ユーザのユーザ情報が選択されると、ユーザ情報登録機能部２４はＬＤＡＰ２３を用いてユーザ情報の詳細情報（ユーザ詳細情報）の検索を要求する。
【００２７】
（５）ＬＤＡＰ２３は、ディレクトリＤＢ２が提供するユーザ情報の検索機能を用いてユーザ詳細情報の検索を行い、その検索結果であるユーザ詳細情報をユーザ情報登録機能部２４に返信する。（６）ユーザ情報登録機能部２４は、ユーザ詳細情報を例えばディスプレイ等に表示する。
【００２８】
（７）例えばオンライン試験を管理する事務局等の担当者はディスプレイ等に表示されたユーザ詳細情報を確認し、必要があればオンライン試験装置１を操作してオンライン試験ＤＢ２２への登録を指示する。ユーザ詳細情報の登録の指示を受けると、ユーザ情報登録機能部２４はオンライン試験ＤＢ２２へユーザ詳細情報の登録を要求する。（８）オンライン試験ＤＢ２２は、図５に示すようなユーザ詳細情報の登録処理を行う。
【００２９】
図５は、オンライン試験ＤＢに登録されるユーザ詳細情報のイメージ図である。オンライン試験ＤＢ２２に登録されるユーザ詳細情報は、例えばユーザＩＤ，会社コード，部門コード，所属コード，氏名（漢字），氏名（カナ），メールアドレス，ノーツメールアドレスの項目から成る。１ユーザのユーザ詳細情報は１レコードとなる。
【００３０】
図６はユーザ情報登録機能部の動作を表すフローチャートである。例えばオンライン試験を管理する事務局等の担当者は、オンライン試験装置１を操作してユーザ情報の登録開始を指示する。
【００３１】
ユーザ情報の登録開始の指示を受けると、オンライン試験装置１のユーザ情報登録機能部２４はステップＳ１に進み、図７に示すようなＬＤＡＰ検索／一覧画面をディスプレイ等に表示する。
【００３２】
図７はＬＤＡＰ検索／一覧画面の一例のイメージ図である。図７のＬＤＡＰ検索／一覧画面７０は、検索条件入力欄７１，検索ボタン７２，検索結果表示欄７３を有する構成である。
【００３３】
検索条件入力欄７１はユーザ情報の検索に利用する検索条件を入力する欄である。図７の例では検索条件として、会社名，部門名，所属名，ユーザＩＤを入力可能である。検索条件入力欄７１に検索条件を入力したあと、検索ボタン７２が押下されると、ユーザ情報登録機能部２４はＬＤＡＰ２３を用いてユーザ情報の検索を要求する。ここでは検索条件入力欄７１に入力された検索条件がユーザ情報の検索に利用される。検索結果表示欄７３は検索条件入力欄７１に入力された検索条件によって検索したユーザ情報の検索結果を表示する欄である。
【００３４】
ステップＳ２に進み、ユーザ情報登録機能部２４は、検索条件入力欄７１に検索条件が入力されたあと検索ボタン７２が押下されたか否かでユーザ情報を検索するか否かを判定する。ユーザ情報登録機能部２４は検索条件入力欄７１に検索条件が入力されたあと検索ボタン７２が押下されるまでステップＳ１，Ｓ２の処理を繰り返す。
【００３５】
ユーザ情報登録機能部２４は検索条件入力欄７１に検索条件が入力されたあとで検索ボタン７２が押下されると、ステップＳ３に進み、ＬＤＡＰ２３を用いてユーザ情報の検索を要求する。そして、ユーザ情報登録機能部２４はユーザ情報の検索結果を検索結果表示欄７３に一覧表示する。
【００３６】
例えばオンライン試験を管理する事務局等の担当者は、オンライン試験装置１を操作して検索結果表示欄７３から１ユーザのユーザ情報をクリック等で選択できる。ステップＳ４に進み、ユーザ情報登録機能部２４は、検索結果表示欄７３から１ユーザのユーザ情報が選択されたか否かでユーザ詳細情報を閲覧させるか否かを判定する。
【００３７】
ユーザ情報登録機能部２４は検索結果表示欄７３から１ユーザのユーザ情報が選択されるまでステップＳ３，Ｓ４の処理を繰り返す。ユーザ情報登録機能部２４は検索結果表示欄７３から１ユーザのユーザ情報が選択されると、ステップＳ５に進み、ＬＤＡＰ２３を用いてユーザ詳細情報の検索を要求する。そして、ユーザ情報登録機能部２４は、ユーザ詳細情報の検索結果を図８に示すようなユーザ詳細情報閲覧画面に表示する。
【００３８】
図８はユーザ詳細情報閲覧画面の一例のイメージ図である。図８のユーザ詳細情報閲覧画面８０は、ユーザ詳細情報表示欄８１，登録ボタン８２，キャンセルボタン８３を有する構成である。ユーザ詳細情報表示欄８１は検索したユーザ詳細情報の検索結果を表示する欄である。
【００３９】
登録ボタン８２が押下されると、ユーザ情報登録機能部２４はユーザ詳細情報表示欄８１に表示されているユーザ詳細情報の登録をオンライン試験ＤＢ２２に要求する。キャンセルボタン８３が押下されると、ユーザ情報登録機能部２４はＬＤＡＰ検索／一覧画面７０を再び表示する。
【００４０】
ステップＳ６に進み、ユーザ情報登録機能部２４はキャンセルボタン８３が押下されたか否かでＬＤＡＰ検索／一覧画面７０に戻るか否かを判定する。ユーザ情報登録機能部２４はキャンセルボタン８３が押下されると、ステップＳ１に戻り、ＬＤＡＰ検索／一覧画面７０をディスプレイ等に表示する。
【００４１】
ユーザ情報登録機能部２４はキャンセルボタン８３が押下されていなければ、ステップＳ７に進み、登録ボタン８２が押下されたか否かでユーザ詳細情報の登録をオンライン試験ＤＢ２２に要求するか否かを判定する。ユーザ情報登録機能部２４は登録ボタン８２が押下されると、ステップＳ８に進み、ユーザ詳細情報の登録をオンライン試験ＤＢ２２に要求する。
【００４２】
なお、ユーザ情報登録機能部２４は登録ボタン８２が押下されていなければステップＳ５に戻る。つまり、ユーザ情報登録機能部２４は登録ボタン８２又はキャンセルボタン８３が押下されるまでステップＳ５〜Ｓ７の処理を繰り返す。
【００４３】
図３に戻り、オンライン試験装置１のユーザ情報登録機能部２４以外の構成について説明する。試験申込み機能部２５は試験申込みに関する処理を行う。例えば試験申込み機能部２５はネットワーク４経由で接続されたユーザ端末３から試験申込みを受け付け、オンライン試験ＤＢ２２に登録する。
【００４４】
受験機能部２６は試験に関する処理を行う。例えば試験機能部２６はオンライン試験ＤＢ２２に登録されている問題を用いて、ユーザ端末３を操作するユーザに試験を受けさせたあと、解答をオンライン試験ＤＢ２２に登録する。
【００４５】
合否判定機能部２７は合否判定に関する処理を行う。例えば合否判定機能部２７はオンライン試験ＤＢ２２に登録されている解答を用いてユーザが受けた試験の合否判定を行ったあと、合否をオンライン試験ＤＢ２２に登録する。受験履歴閲覧機能部２８は受験履歴の閲覧に関する処理を行う。例えば受験履歴閲覧機能部２８はオンライン試験ＤＢ２２に登録されている試験申込み、解答、合否判定等を用いて、ユーザ端末３を操作するユーザに受験履歴を閲覧させる。
【００４６】
本発明では、ユーザ情報をディレクトリＤＢ２から取得して一覧表示し、担当者によって選択されたユーザのユーザ詳細情報をディレクトリＤＢ２から取得してオンライン試験ＤＢ２２に登録できるので、オンライン試験を受け得るユーザのユーザ情報の登録を容易化できる。
【００４７】
本発明は、具体的に開示された実施例に限定されるものではなく、特許請求の範囲から逸脱することなく、種々の変形や変更が可能である。
【図面の簡単な説明】
【００４８】
【図１】オンライン試験システムの一例の構成図である。
【図２】オンライン試験装置の一例のハードウェア構成図である。
【図３】オンライン試験装置の一例のソフトウェア構成図である。
【図４】ユーザ情報登録機能部の動作について説明する為のシーケンス図である。
【図５】オンライン試験ＤＢに登録されるユーザ詳細情報のイメージ図である。
【図６】ユーザ情報登録機能部の動作を表すフローチャートである。
【図７】ＬＤＡＰ検索／一覧画面の一例のイメージ図である。
【図８】ユーザ詳細情報閲覧画面の一例のイメージ図である。
【符号の説明】
【００４９】
１    オンライン試験装置
２    ディレクトリＤＢ
３，５，６    ユーザ端末
４    ネットワーク
１１    入力装置
１２    出力装置
１３    ドライブ装置
１４    補助記憶装置
１５    メモリ装置
１６    演算処理装置
１７    インターフェース装置
１８    記録媒体
１９    バス
２１    オンライン試験機能部
２２    オンライン試験ＤＢ
２３    ＬＤＡＰ
２４    ユーザ情報登録機能部
２５    試験申込み機能部
２６    受験機能部
２７    合否判定機能部
２８    受験履歴閲覧機能部
２９    その他機能部
７０    ＬＤＡＰ検索／一覧画面
７１    検索条件入力欄
７２    検索ボタン
７３    検索結果表示欄
８０    ユーザ詳細情報閲覧画面
８１    ユーザ詳細情報表示欄
８２    登録ボタン
８３    キャンセルボタン
【図１】
2008165266.tif 000003
【図２】
2008165266.tif 000004
【図３】
2008165266.tif 000005
【図４】
2008165266.tif 000006
【図５】
2008165266.tif 000007
【図６】
2008165266.tif 000008
【図７】
2008165266.tif 000009
【図８】
2008165266.tif 000010